(57)【特許請求の範囲】
【請求項１】
1年分のカレンダーとして、上半分に半年の月カレンダーを配置し、下半分に残りの月カレンダーを配置するとともに、中央部に年号を一目で把握可能な大きさで表示し、さらに中央部に目標記入欄と年齢欄を設けた半年単位型目標年齢把握可能構成であり、同一構成のカレンダーを多年配置し、
横長長方形を複数の山折及び谷折の交互折で形成される蛇腹状台紙の1蛇腹スペースに半年単位型目標年齢把握可能構成のカレンダー1年分を記載し、
山折箇所が最低３箇所以上、及び谷折箇所が最低３箇所以上設けられたことを特徴とする多年カレンダー。
【請求項２】
右端から左端に向けて順次年が進むように記載し、最右端に本年とその左側に山折左側面に次年度を配置し、順次表面側左端まで請求項1記載の半年単位型目標年齢把握可能構成カレンダーを配置したことを特徴とする多年カレンダー。
【請求項３】
横一列を左から右への10年又は20年カレンダーとし、その横一列の10年分又は20年分を下方から上方に年度が進むように下から上方向に配置した一枚の縦長長方形であることを特徴とし、
多年カレンダー中、各年号のカレンダーにおいて年号表示欄の近辺に年齢欄を設け、最も数が小さい年号のカレンダーの年齢欄に０歳と表示し、これを基準として、その他の年号のカレンダーにおいて、各年号に対応する年齢を年齢欄に表示し、最も数が小さい年号に対応する干支を表示し、
最も数が小さい年号をずらして様々な年度から始まるカレンダーを揃えることで、利用者が自らが生まれた年度から始まるカレンダーを利用可能としたことを特徴とした多年カレンダー。
【発明の詳細な説明】
【技術分野】
【０００１】
本発明は、携帯に便利で場所をとらない蛇腹式10年カレンダーおよび10年以上の多年一覧カレンダーに関する。
【背景技術】
【０００２】
従来、カレンダーは主に１カ月ごとに表示されているものが多く、あるいは日めくりタイプとなっている。また書き込みスペースが設けられているものもあるが、それらは日々ごとの予定などの記入に用いられていることが多い。
【０００３】
かかる状況のもとでは、10年単位で自分の将来や人生を予想したり、夢を描いたりするツールとしてカレンダーが利用されることはない。将来の目標や将来の年月が目に見える形で利用できる構成となっていないためである。
この点につき、受験生が利用することを目的とした、受験用カレンダーに関する考案がなされている（実開平０６−４２２１０号公報）。この受験用カレンダーでは、受験日までの残り日数を表示したシールを貼ることで残り日数が把握でき、カレンダーに受験に関するメモを書き込むことができるようになっている。
【先行技術文献】
【特許文献】
【０００４】
【特許文献１】実開平０６−４２２１０号公報
【発明の概要】
【発明が解決しようとする課題】
【０００５】
しかし、自己の年齢と将来訪れる年ごとに、目標設定が可能で、そのカレンダーを手にすると、自己の将来の予想や夢が、時の経過と関連付けて感じることのできるカレンダーは、従来存在していなかった。
また、10年近くの将来を予想するとなると、カレンダーが販売していなかったり、かりにあったとしても、分量が多くなって手軽に手の中でコンパクトに手にすることが不可能に近かった。
【０００６】
それらの問題点を解決したのが本発明であり、1つは蛇腹状にして手の中で折りたたんで状態で1年が把握できるようにし、見開きの状態では2年分が同時に把握可能となる。2つ目は一覧の形で50年分を掲載可能としたものである。3つ目は一覧の形で100年分を掲載可能とし、さらに最も数が小さい年号の近くに０歳と表示し、これを基準に各年号に対応した年齢を年号の近くに表示したものである。
【課題を解決するための手段】
【０００７】
上記の課題を解決するために、本発明の多年カレンダーは、上半分に半年の月カレンダーを配置し、下半分に残りの月カレンダーを配置するとともに、中央部に年号を一目で把握可能な大きさで表示するとともに、中央部に目標記入欄と年齢欄を設けた半年単位型目標年齢把握可能構成であることを要旨とする。
【０００８】
また、本発明の多年カレンダーは、横長長方形を山折5つ谷折5つの交互折で形成される蛇腹状の1枚に1年分を記載してなり、該カレンダーは半年単位型目標年齢把握可能構成であることを要旨とする。
【０００９】
また、本発明の多年カレンダーは、右端から左端に向けて順次年が進むように記載し、最右端に本年とその左側に山折状に次年度を配置し、蛇腹を折りたたんだ右端ページには本年分のみが表示されるよう構成したことを要旨とする。
【００１０】
また、本発明の多年カレンダーは、横一列を左から右への10年又は20年カレンダーとし、その横一列の10年分又は20年分を下方から上方に年度が進むように縦方向に配置した一枚の縦長長方形であることを要旨とする。
【００１１】
また、本発明の多年カレンダーは、多年カレンダー中、各年号のカレンダーにおいて年号表示欄の近辺に年齢欄を設け、最も数が小さい年号のカレンダーの年齢欄に０歳と表示し、これを基準として、その他の年号のカレンダーにおいて、各年号に対応する年齢を年齢欄に表示したことを要旨とする。
【発明の効果】
【００１２】
本発明によれば、蛇腹状にして手の中で折りたたんだ状態で1年が把握できるようにしたため、まず今年についての全体的な把握が一目で可能となり、自己の今の年齢、目標も記載できるとともに、半年単位の日付表示から、上半期、下半期の目標についてイメージしやすくなっている。
また、ちょうど誰の手にもなじみやすい7cmから9cm程度の横幅の蛇腹状カレンダーとしているため、操作性が良く、邪魔にならず、かさばらず手軽である。
【００１３】
本発明によれば、見開きの状態では2年分が同時に把握可能となるようにしたため、今年と来年の曜日やイメージが一目で把握可能となる。学校などについては4月から来年3月というところが多く、年度をまたいでの日程の把握やイメージが可能となり便利である。また、海外旅行など比較的まとまった日数が必要な企画についても2年分の祝日や土日の入り具合からあらかじめ企画や予定が立てやすく、年をまたいだ把握が容易となる。今年と来年、あるいは去年と今年の2年を見比べ、目標においての変化や達成度など2年間をイメージすることで、さらに自分の人生目標の到達度や進め方、2年間のイベントや新たなる3年目の目標などの整理やイメージにより役立つようになる。
【００１４】
本発明によれば、一枚の一覧状態で、現在から将来の１0年単位又は20年単位のカレンダーが数十年分下から上に向かって掲載されているので、現在から将来について、日時や年がイメージしやすく、これから何十年を掛けて何をしようかと自分の人生についての目標が立てやすくなる。特に、最も数字の小さい年号の近くに０歳と表記し、これを基準に各年号に対応した年齢を表記することで、カレンダー利用者が生まれ年から始まる多年カレンダーを使用すると、利用者の過去及び未来の年月を具体的に把握することが可能となる。
また、具体的に生きてる時間というものがカレンダーで示されるので、人生が有限であるということについても、目でみて認識がしやすくなる。ともすれば、若い人であれば、時間が無限にあるように錯覚し、現在の貴重な時間もいいかげんに過ごしてしまう弊害を防止できる効果がある。
【図面の簡単な説明】
【００１５】
【図１】実施例１に係る多年蛇腹式カレンダーの全体構成を示す概略図である。
【図２】実施例１に係る多年蛇腹式カレンダーの１ページの構成例を示す説明図である。
【図３】実施例１に係る多年蛇腹式カレンダーの表紙ページを含む裏面全体の構成例を示す説明図である。
【図４】実施例３に係る一枚一覧多年カレンダーの全体構成図及び一部拡大図である。
【図５】実施例４に係る一枚一覧多年カレンダーの全体構成図及び一部拡大図である。
【発明を実施するための形態】
【００１６】
本発明の蛇腹式多年カレンダーは、一目みて一年分のイメージあるいは数年分のイメージがわくように、年号の文字をカレンダーの中心部に大きく表示し、できれば、緑やブルー、あるいはオレンジ色等の比較的やわらかなイメージでしかもはっきりと認識可能な色合いで年号の文字を構成すると好ましい。
また、1年間の表示の仕方は自由であるが、例えば縦長長方形のスペースで構成した場合には、上半分と下半分を半年ごと（６カ月ごと）で構成すると年の前半と後半
という計画の立て方が可能となり、イメージがしやすい。また年号の上部あるいは下部に目標欄−必ずしも目標でなくても良く計画でもかまわないが、空白の記入欄を設けており、必要に応じて使用可能となる。またその右側には年齢欄を設けており、その年度には自分は何歳であるかということを、一目で把握可能としている。
【００１７】
蛇腹状多年カレンダーは、手の中で一年分が収まる上、各月の日が見やすい大きさが好ましいと思われる。1年分のスペースとしては、6から９ｃｍ程度縦幅は１０ｃｍから２０ｃｍが好ましい。横方向にこの1年間スペースが連続するため、全体のカレンダーサイズは、横幅６６ｃｍから９９ｃｍ程度となる。何年掲載するかは適宜決定すれば良く、5年程度でも構わない。連続して見びらきにつながればよい。
右ききの人が多いことから、右端のページから初め、左に年号が登っていくようにすると、右手で端をもって引っ張れば開けるため、好ましいと思われるが、逆でも良いことはもちろんである。最終ページはカレンダーの表紙の役目をさせると体裁も良い。紙の表側で表紙を構成しても良いし、裏面側で表紙としても良いことはもちろんである。
さらに、表紙がなくても、表紙及び裏表紙を設けて良いのはもちろんである。
【００１８】
掲載年度は何年でもかまわない。さらに半期ごとの月の掲載は左から右でも上から下でも自由である。また図２には上半分をさらに横に3分して上から１・２月、３・４月、５・６月としているが、これも配置は自由である。年号の文字の大きさと日付の文字の大きさの比は10倍以上であることが好ましいが、これも自由に設定可能である。さらに目標等の記載スペースは複数行可能なように広めに設けても良いが、例えば、目標を記載する場合を例にあげると、1つのことが記載できる程度のシンプルな方が目標がよりしっかりと自覚でき好ましい。年齢欄も年齢に限るものではないことはもちろんである。
【実施例１】
【００１９】
実施例１について、図１から図３を参照しながら説明する。図１は、本実施例に係る蛇腹式多年カレンダー（１）の全体構成を示す概略図、図２は、本実施例に係る多年蛇腹式カレンダーの１ページの構成例を示す説明図である。図３は本実施例１に係る多年蛇腹式カレンダーの表紙ページを含む裏面全体の構成例を示す説明図である。
【００２０】
図１に示すように、本実施例の多年カレンダーは横８ｃｍ縦２０ｃｍの一面（図２参照）が左右に折繋がって蛇腹式となっている。また1面を1年のカレンダーとして構成しているため、10面つなげると10年カレンダーとなり、5年つなげると5年カレンダーとなる。本実施例では表面（２）側のみに11面設けているので、2012年から2022年の多年カレンダーとなる。また、２０年にする場合には表裏面ともカレンダーとすれば20年の掲載が可能となる。
本実施例では、裏面側（３）は表紙（４）と広告面（５）として使用している。この表紙を図３に示すように裏面側ではなく、表面側に設けても良く、さらにすべてカレンダー面としても良いことはもちろんである。
【００２１】
図１に示すように、本実施例では表面側の右端面（６）に最も若い年号（好ましくは本年）を設けている。カレンダーを蛇腹状に折たたんだ状態は図２のようになり、ちょうど手の平にすっぽり収まる大きさで操作性が良い。また右手で図１のように広げていくと未来の年である2013年のカレンダー（７）を見ることができる。数年先の将来について何らかの目標や夢をはっきり描いている人は少ないのが現状であり、将来のことを考えたり、見据える良い機会を使用者に提供するものとなる。
1年内の各項目の構成については、下記の特徴を有している。
１）1面の中央部に年号を大きく記載している。
２）各月については、上半分に半年の月カレンダーを配置し、下半分に残りの月カレンダーを配置している。
３）、中央部に目標記入欄（８）と年齢欄（９）を設けている
いわば、半年単位型目標年齢欄を有した構成であることが特徴となっている。
【００２２】
このような構成としたため、1年間の目標も設定可能であり、自己の年齢に応じた目標も立てやすく、毎日カレンダーで日にちを確認するにあたって、年号と共に目標も目に留まることとなり、より目標の認識度が高まり、目標実現の可能性も高めることができる。また、1年を半期の6カ月で区切ることで、長期のスパンではなく、一応のまとまりである半期の区切りで、目標への到達度などの把握も可能となり、さらに残りの月数の感覚的な把握にも役立つこととなる。目視で感覚的に時の流れ、時が有限であることがこのカレンダーから読み取れるため、その点の工夫が本発明の最も重要な発明要素となる。
【実施例２】
【００２３】
本実施例では、実施例１のカレンダー面を20年間記載したカレンダーを提供する。図３に示すように、表紙面（４）の左面に2012年のカレンダーを記載し、順次左側に次の年度を記載する。裏面の最終ページに10年目のカレンダー2021年を記載し、続きは裏返して表面の右側から順次2022年から2031年まで記載し、最後のページは広告として使用する。
このように蛇腹面の数や使用方法、方向（例えば右側から年号を進めず、左から右へ進めても良い）は任意である。本実施例では年号の数字の大きさと日にちの大きさは6倍程度としている。
このような多年カレンダーであれば、20年単位の目標も設定可能で、子供が成人した時には就職や結婚時期等の目標設定も可能となる。また目標は親の目標でも、年齢の欄には子供の年齢を記載する、あるいは年齢欄を2つに区切り、親と子供の両方の年齢が記載できるようにして、それぞれの年における家族のイメージを取りやすくしても良い。
【実施例３】
【００２４】
本実施例は、一枚の縦長長方形紙に50年分を一覧にした多年カレンダーについてのものである。図４で全体構成を示し、拡大図を左下に示す。
図に示すように、左下から右方向に年号が進み、横一列で10年分のカレンダーが掲載されている。11年目は下から2段目の左から右方向へ記載されている。このように下方から上方に向けて年号が進むように構成したのは、現時点から将来に向かって思考を巡らせるきっかけとなるようにするためである。
1年ごとの構成としては、半期に分割した形は実施例１−２と同様であるが、月については左から右に進むのではなく、左側の列を上部から順に1月2月3月として、
3月単位でイメージが把握できるように工夫している。
このような多年カレンダーであれば、10歳の子供であれば６０歳まで夢を記載することができ、２０歳であれば、７０歳までと人生の活動時期全てにわたってイメージすることが可能となる。
【実施例４】
【００２５】
本実施例は、一枚の横長長方形紙に、１００年分を一覧にした多年カレンダーについてのものである。図５で全体構成を示し、拡大図を左下及び右上に示す。
図に示すように本実施例に係る多年カレンダー（１１）は、左下から右方向に年号が進み、横一列で２０年分のカレンダーが掲載されている。２１年目からは下から２段目の左から右方向へ記載されている。
本実施例に係る多年カレンダーでは、左下に最も若い年号のカレンダーが配置されるが、この最も若い年号欄（１２）の近くに年齢欄（１３）を設け、該年齢欄に最も若い年齢すなわち「０歳」と表示している。図５に係る多年カレンダーでは、左下の最も若い年号は１９９５年としており、これに対応する年齢として０歳と併記している。そしてこの最も若い年号及び年齢を基準にして、各年号に対応する年齢を表示している。
例えば１９９５年を０歳と表示した場合、１９９６年を１歳、１９９７年を２歳といった具合に対応する年齢を表示する。
右上には最も数が多い年号のカレンダーが配置される。本実施例におけるカレンダーでは１００年分を表示しているため、左下のカレンダーの年号（最も若い年号）の数字に９９を足した年号のカレンダーが右上に表示されることとなる。図５に係るカレンダーのように、最も若い年号を１９９５年とすると、右上のカレンダーに表示される最も数が多い年号（１２’）は２０９４年となる。また、この最も数が多い年号欄（１２’）の近くには、この年号に対応する年齢欄（１３’）が設けられる。図５に係るカレンダーだと、最も若い年号１９９５年に対応する年齢が０歳であるため、最も数が多い年号２０９４年に対応する年齢は９９歳となる。
【００２６】
なお、本実施例における多年カレンダーにおいても、各年度のカレンダーにおいて年号欄の近くに目標等を記載するための目標記入欄（８）を設けてもよい。また、本実施例における多年カレンダーでは、各列の両端にその列に表示されているカレンダーに関する年数表示をしている。例えば、最下段左端には、その列の左寄りには最初の１０年分が表記されていることを示す意味で、「１０」の文字が記載されている。そして最下段右端には、その列の右寄りには次の１０年分、すなわち年齢でいうと２０歳の手前までが表記されていることを示す意味で「２０」の文字が記載されている。
また、多年カレンダー右上には、その多年カレンダーにはどの年号からどの年号までのカレンダーが含まれているのか一目で分かるように、多年カレンダーで表示されるカレンダーの期間が示される期間表示欄（１５）が設けられている。例えば図５に示す多年カレンダーは１９９５年度から２０９４年度までのカレンダーが含まれるため、期間表示欄には「１９９５・・・２０９４」と表示されている。そして最も若い年号の干支の絵を表示している。
【００２７】
本実施例に係る多年カレンダーは、最も若い年号をずらして様々な年度から始まる多年カレンダーを用意することが好ましい。これは、利用者が自らの生年月日から始まる多年カレンダーを入手できるようにするためである。例えば、１９９５年生まれの人は１９９５年から１００年分が掲載された多年カレンダーを利用し、２０００年生まれの人は２０００年から１００年分が掲載された多年カレンダーを利用することが考えられる。また、始まる年度ごとによって、異なる色のカレンダーとすると好ましい。
このように、複数年度から始まる多年カレンダーを用意することで、利用者は自らが生まれた年度から始まり１００年分の年月が掲載されたカレンダーを利用することができるようになり、経過した過去の時間と、将来過ごすことになる時間を把握することができる。これにより、これまで経過した時間で達成できた事柄を把握したり、これからの時間をどのように利用するのか目標をたてたりすることが容易に可能となる。
【産業上の利用可能性】
【００２８】
本発明は、従前にない、人生の目標を自己の年齢とともに認識しやすくしたカレンダーであり、携帯に便利な蛇腹式も、一覧で多年把握可能な一覧式もともに産業上の利用可能性を有する。
【符号の説明】
【００２９】
１  蛇腹式多年カレンダー
２  表面
３  裏面
４  表紙
５  広告面
６  右端面
７  ２０１３年カレンダー
８  目標記載欄
９  年齢欄
１１  １００年タイプカレンダー
１２  １２’  年号欄
１３  １３’  年齢欄
１４  年数表示部
１５  期間表示部
【図１】
0005492331.tif 000002
【図３】
0005492331.tif 000003
【図２】
0005492331.tif 000004
【図４】
0005492331.tif 000005
【図５】
0005492331.tif 000006